(57)【要約】【課題】所望シナリオに沿った画像の撮影機会逸失を防止する。【解決手段】対象シナリオ設定部５２は、シナリオ選択操作に従い、複数の撮影シナリオの中から対象シナリオを選択及び設定する。対象シナリオには複数の基準シーンが属しており、各基準シーンについての情報がシーン照合部５３に与えられる。シーン照合部５３は、撮像部から与えられる現在の画像信号、撮像装置の現在地情報及び基準シーン情報に基づき、現在の撮影シーンが何れかの基準シーンに適合しているかを判定する。撮影完了状況管理部５４は、基準シーンの撮影が完了しているか否かを基準シーンごとに管理する。現在の撮影シーンが未撮影の何れかの基準シーンに適合しているとき、通知部５５は、当該基準シーンの撮影を促す通知（撮影指令通知）を撮影者に発する。【選択図】図６
2013090267.tif 000002
【特許請求の範囲】
【請求項１】
被写体の画像信号を生成する撮像部と、
撮影されるべき複数の基準シーンを定める撮影シナリオを設定するシナリオ設定部と、
前記撮像部の撮影シーンと各基準シーンとを照合する照合部と、
各基準シーンに対応する画像の撮影完了状況を管理する管理部と、
前記照合部の照合結果及び前記管理部の管理結果に応じた通知を成す通知部と、を備えた
ことを特徴とする撮像装置。
【請求項２】
前記通知は、前記撮像部による撮影を促すための通知を含む
ことを特徴とする請求項１に記載の撮像装置。
【請求項３】
前記複数の基準シーンの内、１以上の基準シーンに対応する１以上のテンプレート画像を表示可能な表示部を更に備え、
前記１以上の基準シーンに含まれる対象基準シーンが撮影されることによって対象撮影画像が得られたとき、前記表示部上において、前記対象基準シーンに対応するテンプレート画像を前記対象撮影画像に置き換える
ことを特徴とする請求項１又は請求項２に記載の撮像装置。
【請求項４】
前記表示部は、前記複数の基準シーンに対応する複数のテンプレート画像を表示可能であり、
前記複数の基準シーンに含まれる前記対象基準シーンが撮影されることによって前記対象撮影画像が得られたとき、前記表示部上において、前記対象基準シーンに対応するテンプレート画像を前記対象撮影画像に置き換える
ことを特徴とする請求項３に記載の撮像装置。
【請求項５】
前記表示部は、２以上の要素画像が配列されたスクラップブック画像を表示可能であって、前記複数の基準シーンに対応する画像が全て未撮影であるとき、前記複数のテンプレート画像に含まれる２以上のテンプレート画像を前記２以上の要素画像として含んだ第１スクラップブック画像を表示し、その後、前記対象撮影画像が得られたとき、前記対象撮影画像を前記２以上の要素画像に含めた第２スクラップブック画像を表示する
ことを特徴とする請求項４に記載の撮像装置。
【請求項６】
前記照合部は、前記画像信号及び当該撮像装置の現在地情報の少なくとも一方に基づき、前記撮像部の撮影シーンが前記複数の基準シーンの何れかに適合しているか否かを判断する
ことを特徴とする請求項１乃至請求項５の何れかに記載の撮像装置。
【請求項７】
前記通知部は、前記照合結果及び前記管理結果に基づき前記撮影シーンが撮影未完了の基準シーンに適合していると判断されるとき、前記通知を成す
ことを特徴とする請求項１乃至請求項６の何れかに記載の撮像装置。
【請求項８】
前記撮影シナリオは、前記複数の基準シーンに含まれる特定基準シーンに付随する構図情報を含み、
前記通知部は、前記通知を成す際、前記画像信号及び前記構図情報に応じて、前記特定基準シーンの撮影構図の変更を促す
ことを特徴とする請求項１乃至請求項７の何れかに記載の撮像装置。
【請求項９】
前記対象撮影画像が得られた後、前記表示部において前記対象撮影画像と何れかのテンプレート画像を表示する際、表示される前記対象撮影画像及び前記テンプレート画像間で表示方法を互いに異ならせる
ことを特徴とする請求項３乃至請求項５の何れかに記載の撮像装置。
【請求項１０】
前記複数の基準シーンの一部又全部の撮影完了後、各基準シーンについての撮影画像を含む複数の画像をまとめて再生媒体上に再生する再生制御部を更に備えた
ことを特徴とする請求項１乃至請求項９の何れかに記載の撮像装置。
【発明の詳細な説明】
【技術分野】
【０００１】
本発明は、デジタルカメラ等の撮像装置に関する。
【背景技術】
【０００２】
デジタルカメラにおいて、ストーリー仕立ての映像（物語性を有する映像）を生成するための方法が提案されている（例えば、非特許文献１及び２参照）。この方法では、まず、撮影者が、デジタルカメラに記録されている複数のシナリオの中から所望のシナリオ（例えばホームパーティ）を選択する。選択シナリオの中には、複数の基準シーンが定められており、撮影者は、各基準シーンに合致すると思われる状況下において動画像の撮影を行って、撮影動画像を何れかの基準シーンと手動で対応付ける。全基準シーンの撮影完了後、選択シナリオに沿って各撮影動画像を順序良く再生することもできる。
【先行技術文献】
【非特許文献】
【０００３】
【非特許文献１】キャノン株式会社、ビデオカメラ総合カタログ（ｉｖｉｓ）、“シナリオモード（ページ６及び７）”、［ｏｎｌｉｎｅ］、平成２３年３月、［平成２３年９月２８日検索］、インターネット＜URL：http://cweb.canon.jp/pdf-catalog/ivis/pdf/ivis1103.pdf＞
【非特許文献２】キャノン株式会社、ｉｖｉｓ紹介、“シナリオモード”、［ｏｎｌｉｎｅ］、［平成２３年９月２８日検索］、インターネット＜URL：http://cweb.canon.jp/ivis/wakuwaku/wakuwakudouga/scenario/wakuwaku.html＞
【発明の概要】
【発明が解決しようとする課題】
【０００４】
上述の方法によって、撮影者の所望シナリオに沿った動画像を集めて行くことができる。しかしながら、どのような状況下で動画像撮影を行えば良いかの判断は撮影者自身に委ねられているため、所望シナリオに対応する撮影機会が到来しても、撮影者は、その機会到来に気付かないこともある。結果、必要な撮影機会を逸失し、望んでいたような映像を収集できないこともある。
【０００５】
そこで本発明は、撮影機会逸失の防止に寄与する撮像装置を提供することを目的とする。
【課題を解決するための手段】
【０００６】
本発明に係る撮像装置は、被写体の画像信号を生成する撮像部と、撮影されるべき複数の基準シーンを定める撮影シナリオを設定するシナリオ設定部と、前記撮像部の撮影シーンと各基準シーンとを照合する照合部と、各基準シーンに対応する画像の撮影完了状況を管理する管理部と、前記照合部の照合結果及び前記管理部の管理結果に応じた通知を成す通知部と、を備えたことを特徴とする
【０００７】
これにより、ユーザは通知に応答して必要な撮影操作を成すことができる。照合部の照合結果及び管理部の管理結果に応じて上記通知を成すようにすることで、撮影シナリオに沿ったシーンの撮影機会逸失が抑制される。
【０００８】
具体的には例えば、前記通知は、前記撮像部による撮影を促すための通知を含んでいるとよい。
【０００９】
また例えば、当該撮像装置は、前記複数の基準シーンの内、１以上の基準シーンに対応する１以上のテンプレート画像を表示可能な表示部を更に備え、前記１以上の基準シーンに含まれる対象基準シーンが撮影されることによって対象撮影画像が得られたとき、前記表示部上において、前記対象基準シーンに対応するテンプレート画像を前記対象撮影画像に置き換えるようにしてもよい。
【００１０】
この際、例えば、前記表示部は、前記複数の基準シーンに対応する複数のテンプレート画像を表示可能であり、前記複数の基準シーンに含まれる前記対象基準シーンが撮影されることによって前記対象撮影画像が得られたとき、前記表示部上において、前記対象基準シーンに対応するテンプレート画像を前記対象撮影画像に置き換えるようにしてもよい。
【００１１】
これにより、撮影者は、シナリオの実撮影結果が集まってゆく様子を確認することができ、撮影操作を行う楽しみの向上が期待される。
【００１２】
より具体的には例えば、前記表示部は、２以上の要素画像が配列されたスクラップブック画像を表示可能であって、前記複数の基準シーンに対応する画像が全て未撮影であるとき、前記複数のテンプレート画像に含まれる２以上のテンプレート画像を前記２以上の要素画像として含んだ第１スクラップブック画像を表示し、その後、前記対象撮影画像が得られたとき、前記対象撮影画像を前記２以上の要素画像に含めた第２スクラップブック画像を表示してもよい。
【００１３】
また例えば、前記照合部は、前記画像信号及び当該撮像装置の現在地情報の少なくとも一方に基づき、前記撮像部の撮影シーンが前記複数の基準シーンの何れかに適合しているか否かを判断してもよい。
【００１４】
また例えば、前記通知部は、前記照合結果及び前記管理結果に基づき前記撮影シーンが撮影未完了の基準シーンに適合していると判断されるとき、前記通知を成しても良い。
【００１５】
また例えば、前記撮影シナリオは、前記複数の基準シーンに含まれる特定基準シーンに付随する構図情報を含んでいてもよく、前記通知部は、前記通知を成す際、前記画像信号及び前記構図情報に応じて、前記特定基準シーンの撮影構図の変更を促してもよい。
【００１６】
これにより、撮影シナリオにマッチした実撮影結果が得られやすくなる。
【００１７】
また例えば、当該撮像装置において、前記対象撮影画像が得られた後、前記表示部において前記対象撮影画像と何れかのテンプレート画像を表示する際、表示される前記対象撮影画像及び前記テンプレート画像間で表示方法を互いに異ならせてもよい。
【００１８】
これにより、ユーザは、任意の表示画像が対象撮影画像及びテンプレート画像のどちらであるのかを識別しやすくなる。
【００１９】
また例えば、前記複数の基準シーンの一部又全部の撮影完了後、各基準シーンについての撮影画像を含む複数の画像をまとめて再生媒体上に再生する再生制御部を、当該撮像装置に更に設けるようにしても良い。
【００２０】
これにより、ユーザに特段の編集知識が無くとも、撮影シナリオに沿った望ましい画像群を再生させることができる。
【発明の効果】
【００２１】
本発明によれば、撮影機会逸失の防止に寄与する撮像装置を提供することが可能である。
【図面の簡単な説明】
【００２２】
【図１】本発明の実施形態に係る撮像装置の概略全体ブロック図である。
【図２】図１の撮像部の内部構成図である。
【図３】特定の撮影シナリオの構成を示す図である。
【図４】特定の撮影シナリオに属する複数のテンプレート画像を示す図である。
【図５】特定の撮影シナリオに対応して得られた複数の実撮影画像を示す図である。
【図６】シナリオ撮影モードの動作に特に関与する部位のブロック図である。
【図７】複数のカテゴリに複数の撮影シナリオが分類される様子を示す図である。
【図８】１つの撮影シナリオの構成を示す図である。
【図９】シナリオ撮影モードにおける動作フローチャートである。
【図１０】図６の撮影完了状況管理部によって管理される管理情報の例を示す図である。
【図１１】複数のテンプレート画像のみから成るスクラップブック画像の例を示す図である。
【図１２】スクラップブック画像の元となる穴空き画像の例を示す図である。
【図１３】複数のテンプレート画像のみから成るスクラップブック画像の他の例を示す図である。
【図１４】撮影指令通知の提示例を示す図である。
【図１５】構図変更通知に関わるブロック図である。
【図１６】構図変更通知の提示例を示す図である。
【図１７】表示部の表示内容例を示す図である。
【図１８】１枚の実撮影画像の取得後における表示部の表示内容例を示す図である。
【図１９】１枚の実撮影画像の取得後における表示部の表示内容変遷の例を示す図である。
【図２０】１枚の実撮影画像の取得前後における表示部の表示内容例を示す図である。
【図２１】複数の画像を同時に表示する方法例を示す図である。
【図２２】テンプレート画像及び実撮影画像の表示方法例を示す図である。
【図２３】スクラップブック画像に含められたテンプレート画像及び実撮影画像の表示方法例を示す図である。
【図２４】シナリオ再生モードの動作に特に関与する部位のブロック図である。
【図２５】再生可能なスクラップブック画像の例（３つの例）を示す図である。
【図２６】再生可能なスクラップブック画像の例（２つの例）を示す図である。
【図２７】特定の操作入力時における再生内容例を示す図である。
【図２８】特定の操作入力時における再生内容例を示す図である。
【図２９】特定の操作入力時における再生内容例を示す図である。
【図３０】特定の操作入力時における再生内容例を示す図である。
【図３１】シナリオ編集モードの動作に特に関与する部位のブロック図である。
【図３２】特定の操作入力に応答したシナリオ更新状況を示す図である。
【図３３】特定の操作入力に応答したシナリオ更新状況を示す図である。
【発明を実施するための形態】
【００２３】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００２４】
図１は、本発明の実施形態に係る撮像装置１の概略全体ブロック図である。撮像装置１は、静止画像及び動画像を撮影及び記録可能なデジタルビデオカメラである。但し、撮像装置１は、静止画像のみを撮影及び記録可能なデジタルスチルカメラであっても良い。撮像装置１は、符号１１〜２０によって参照される各部位を備える。本実施形態において、特に記述なき限り、撮影とは撮像部１１（又は撮像装置１）による撮影を指し、表示及び表示画面とは表示部１５における表示及び表示画面を指す。
【００２５】
図２は、撮像部１１の内部構成図である。撮像部１１は、光学系３５と、絞り３２と、ＣＣＤ（Charge Coupled Device）又はＣＭＯＳ（Complementary Metal Oxide Semiconductor）イメージセンサなどから成る撮像素子（固体撮像素子）３３と、光学系３５や絞り３２を駆動制御するためのドライバ３４と、を有している。光学系３５は、撮像部１１の画角を調節するためのズームレンズ３０及び焦点を合わせるためのフォーカスレンズ３１を含む複数枚のレンズから形成される。ズームレンズ３０及びフォーカスレンズ３１は光軸方向に移動可能である。主制御部１３からの制御信号に基づき、光学系３５内におけるズームレンズ３０及びフォーカスレンズ３１の位置並びに絞り３２の開度（即ち絞り値）が制御される。撮像素子３３は、水平及び垂直方向に複数の受光画素が配列されることによって形成される。撮像素子３３の各受光画素は、光学系３５及び絞り３２を介して入射した被写体の光学像を光電変換し、該光電変換によって得られた電気信号をＡＦＥ１２（Analog Front End）に出力する。
【００２６】
ＡＦＥ１２は、撮像部１１（撮像素子３３）から出力されるアナログ信号を増幅し、増幅されたアナログ信号をデジタル信号に変換してから主制御部１３に出力する。ＡＦＥ１２における信号増幅の増幅度は主制御部１３によって制御される。
【００２７】
主制御部１３は、ＡＦＥ１２の出力信号によって表される画像に対して必要な画像処理を施し、画像処理後の画像についての映像信号を生成する。ここで生成される映像信号も、撮像部１１（撮像素子３３）の出力信号も、ＡＦＥ１２の出力信号も、被写体の画像信号の一種である。ＡＦＥ１２の出力信号そのものによって表される画像、又は、ＡＦＥ１２の出力信号そのものによって表される画像に対して所定の画像処理を施して得られる画像を、入力画像という。
【００２８】
内部メモリ１４は、ＳＤＲＡＭ（Synchronous Dynamic Random Access Memory）等にて形成され、撮像装置１内で生成された各種データを一時的に記憶する。表示部１５は、液晶ディスプレイパネル等の表示画面を有する表示装置であり、主制御部１３の制御の下、入力画像や記録媒体１６に記録されている画像などを表示する。表示部１５にはタッチパネル１５ａが設けられており、ユーザは、表示部１５の表示画面を操作体（指やタッチペンなど）で触れることで撮像装置１に様々な指示を与えることができる。タッチパネル１５ａを割愛することも可能である。記録媒体１６は、カード状半導体メモリや磁気ディスク等の不揮発性メモリであり、主制御部１３による制御の下、入力画像の映像信号等を記録する。操作部１７は、静止画像の撮影指示を受け付けるシャッタボタン１７ａ及び動画像の撮影開始指示又は撮影終了指示を受け付ける録画ボタン１７ｂ等を備え、ユーザからの各種操作を受け付ける。シャッタボタン１７ａ及び録画ボタン１７ｂは、タッチパネル１５ａ上のボタンであってもよい。表示部１５の表示内容の制御及び表示部１５に表示されるべき任意の画像（例えば、後述のスクラップブック画像）の生成処理を、例えば、主制御部１３に設けられた表示制御部２１にて行うことができる。
【００２９】
マイク部１８は、撮像装置１の周辺音を電気信号である音響信号に変換して出力する。得られた音響信号は、主制御部１３による制御の下で記録媒体１６に記録されうる。スピーカ部１９は、１以上のスピーカから成り、記録媒体１６に記録された音響信号など、任意の音響信号を音として出力する。現在地検出部２０は、グローバルポジショニングシステム（ＧＰＳ）を形成する衛星からの送信信号を受信し、受信信号に基づき撮像装置１の現在地（少なくとも緯度及び経度を含む）を検出して検出現在地を表す現在地情報を生成する。
【００３０】
撮像装置１は、複数の動作モードの何れかにて動作し、複数の動作モードの中にはシナリオ撮影モード及びシナリオ再生モードが含まれる。シナリオ撮影モードでは、定められた撮影シナリオに沿って静止画像又は動画像の撮影が成されるように、撮像装置１がユーザに対して適宜通知（アドバイス）を行う。シナリオ再生モードでは、撮影シナリオに沿って撮影された画像群の再生を行う。シナリオ撮影モードを含む撮影モードにおけるユーザは主として撮影者であり、シナリオ再生モードを含む再生モードにおけるユーザは主として撮像装置１の操作者又は視聴者である。
【００３１】
１つの撮影シナリオは複数の基準シーンを含んで構成されており、撮像装置１は、各基準シーンにおける画像が撮影されるように必要なタイミングにおいて上記通知を行う。例えば、図３に示す基準シーンＳＮ［１］〜ＳＮ［６］を含む撮影シナリオＳＲが用いられる場合、基準シーンＳＮ［１］〜ＳＮ［６］の実撮影画像ＲＩ［１］〜ＲＩ［６］（図５参照）が得られるように上記通知を行う。図４には、基準シーンＳＮ［１］〜ＳＮ［６］に対応するテンプレート画像ＴＭ［１］〜ＴＭ［６］が示されている。撮影画像ＲＩ［１］〜ＲＩ［６］が得られた場合、シナリオ再生モードにおいて、画像ＲＩ［１］〜ＲＩ［６］の一括表示等を行うことができる。図３〜図５の詳細については後述する。
【００３２】
図６は、シナリオ撮影モードの動作に特に関与する部位のブロックである。図６に示される各部位を撮像装置１（例えば主制御部１３）に設けておくことができる。
【００３３】
撮影シナリオ記憶部５１は、複数の撮影シナリオを登録及び記憶する部位である。撮像装置１の設計段階又は製造段階にて登録されるべき各撮影シナリオを定めておくことができる。登録される何れかの撮影シナリオは、パーソナルコンピュータ上で動作するシナリオ作成プログラムなどを適宜利用しつつ、ユーザによって定められても良い。図７に示す如く、例えば、登録された複数の撮影シナリオは複数のカテゴリに分類されていても良い。各カテゴリは１以上の撮影シナリオを含む。ユーザは、操作部１７に対して所定のシナリオ選択操作を成すことで、何れかのカテゴリに属する何れかの撮影シナリオを選択することができる。
【００３４】
各撮影シナリオは複数の基準シーンを含む。図８に１つの撮影シナリオの構造を示す。各々の基準シーンは、撮像部１１によって撮影されるべきシーンを規定しており、図８に示す如く、撮影シナリオ記憶部５１は、撮影されるべき被写体（即ち撮影対象）及び撮影されるべき被写体の存在場所などを基準シーンごとに定めて記憶している（撮影されるべき被写体のみ又は被写体の存在場所のみが定められていることもある）。更に、撮影シナリオ記憶部５１は、各々の基準シーンに対応するテンプレート画像を記憶しており、或る基準シーンのテンプレート画像には、当該基準シーンにおける撮影対象（撮影されるべき被写体）の画像が含まれている。撮影されるべき被写体及び被写体の存在場所並びにテンプレート画像を含む情報を基準シーン情報と呼ぶ。基準シーン情報は、更に構図情報を含みうる（構図情報の詳細は後述）。図８に示す如く、各々の撮影シナリオは、自身に対応する基準シーン情報を含んでいる。
【００３５】
例えば、登録シナリオ記憶部５１に登録された１つの撮影シナリオＳＲは、図３に示すように基準シーンＳＮ［１］〜ＳＮ［６］を含んでおり、基準シーンＳＮ［１］〜ＳＮ［６］に対応するテンプレート画像ＴＭ［１］〜ＴＭ［６］が撮影シナリオ記憶部５１に記録されている。撮影シナリオＳＲの表題として、例えば「古都ＮＲのグルメドライブ」という文言がユーザに示される。図３及び図４を参照し、シーンＳＮ［１］は、特定の建造物３０１を被写体として含むシーンであり、シーンＳＮ［２］は、特定の料理店３０２を被写体として含むシーンであり、シーンＳＮ［３］は、任意の料理３０３を被写体として含むシーンであり、シーンＳＮ［４］は、任意の鹿３０４を被写体として含むシーンであり、シーンＳＮ［５］は、特定の石碑３０５を被写体として含むシーンであり、シーンＳＮ［６］は、任意又は特定の山３０６を被写体として含むシーンである。例えば、建造物３０１、料理店３０２及び石碑３０５の存在場所は、撮影シナリオＳＲの基準シーン情報に含められ、撮像装置１にとって既知である。
【００３６】
図６の対象シナリオ設定部５２は、撮影シナリオ記憶部５１に登録された複数の撮影シナリオの内、シナリオ選択操作によって選択された撮影シナリオを対象シナリオに設定し、対象シナリオの基準シーン情報を撮影シナリオ記憶部５１から読み出してシーン照合部５３に送る。
【００３７】
シーン照合部５３は、現在の撮影シーン（撮像部１１の撮影領域内におけるシーン）と対象シナリオの各基準シーンとの照合を行う。この照合を成す処理をシーン照合処理と呼ぶ。シーン照合部５３は、現在の撮影シーンが対象シナリオの何れかの基準シーンに適合している場合には適合信号を通知部５５に出力する一方で、そうでない場合には不適合信号を通知部５５に出力する。シーン照合部５３は、入力画像の画像信号及び現在地検出部２０からの現在地情報の内の少なくとも一方と、対象シナリオの基準シーン情報とに基づいてシーン照合処理を行うことができる。
【００３８】
撮影完了状況管理部５４は、対象シナリオの各基準シーンに対応する画像の撮影完了状況を管理する、即ち、対象シナリオの基準シーンについての撮影（画像の撮影）が完了しているか否かを基準シーンごとに管理する。
【００３９】
通知部５５は、シーン照合部５３の照合結果及び管理部５４の管理結果に基づき、必要に応じて、撮影による画像取得をユーザに対して促すための撮影指令通知を行う。
【００４０】
以下では、特に記述無き限り、図３の撮影シナリオＳＲが対象シナリオに設定されたことを想定し、シーン照合部５３等の動作を詳細に説明する。
【００４１】
図９は、シナリオ撮影モードにおいて、対象シナリオが選択された後の撮像装置１の動作フローチャートである。対象シナリオの選択後、全基準シーン（ＳＮ［１］〜ＳＮ［６］）の撮影が完了するまで、ステップＳ１１〜Ｓ１４の処理が繰り返し実行される。
【００４２】
まず、ステップＳ１１において、シーン照合部５３は上記シーン照合処理を行い、適合又は不適合信号を送出する。シーン照合処理の方法例を幾つか説明する。
【００４３】
シーン照合処理の第１方法例において、シーン照合部５３は、基準シーンＳＮ［ｉ］に対応するテンプレート画像ＴＭ［ｉ］の画像信号と現在の入力画像の画像信号とに基づくマッチング処理により、テンプレート画像ＴＭ［ｉ］と入力画像の全体画像又は部分画像との類似度合いを求める。そして例えば、シーン照合部５３は、類似度合いが所定の基準度合い以上である場合は、現在の撮影シーンが基準シーンＳＮ［ｉ］に適合していると判断する一方で、そうでない場合は現在の撮影シーンが基準シーンＳＮ［ｉ］に適合していないと判断する。シーン照合部５３は、このような分岐判断を基準シーンごとに実行可能である（後述の第２及び第３方法例においても同様）。ｉは整数である。
【００４４】
シーン照合処理の第２方法例において、シーン照合部５３は、入力画像の画像信号に基づき撮像部１１の撮影領域内に収まっている被写体の種類（人物、顔、犬、猫、自動車、料理、海など）を検出する物体検出処理を実行し、物体検出処理の検出結果を利用して、現在の撮影シーンが基準シーンＳＮ［ｉ］に適合しているか否かを判断する。シーン照合部５３は、撮像部１１の撮影領域内に収まっている被写体の種類が基準シーンＳＮ［ｉ］に含まれるべき被写体の種類と一致しているとき、現在の撮影シーンが基準シーンＳＮ［ｉ］に適合していると判断することができ、そうでないとき、現在の撮影シーンが基準シーンＳＮ［ｉ］に適合していないと判断することができる。
【００４５】
シーン照合処理の第３方法例では、基準シーンＳＮ［ｉ］の基準シーン情報に“撮影されるべき被写体の存在場所”が含まれていることを想定する（図８参照）。第３方法例において、シーン照合部５３は、当該存在場所と現在地情報との一致性を評価し、当該存在場所が撮像装置１の現在地と一致する場合は現在の撮影シーンが基準シーンＳＮ［ｉ］に適合していると判断することができ、そうでない場合は現在の撮影シーンが基準シーンＳＮ［ｉ］に適合していないと判断することができる。
【００４６】
任意の基準シーンに対するシーン照合処理を、上記の第１、第２若しくは第３方法例の何れか、又は、２以上の方法例の組み合わせによって実現することができる。例えば、基準シーンＳＮ［３］、ＳＮ［４］又はＳＮ［６］に対するシーン照合処理では、上記の第１又は第２方法例を用いることができ、基準シーンＳＮ［２］に対するシーン照合処理では、上記の第１、第２又は第３方法例を用いることができ、基準シーンＳＮ［１］及びＳＮ［５］に対するシーン照合処理では、上記の第３方法例を用いることができる。
【００４７】
管理部５４は、例えば、図１０に示すような、基準シーンＳＮ［１］〜ＳＮ［６］の撮影が完了したか否かを基準シーンごとに表す管理情報３３０を保持する。管理情報３３０は、管理部５４の管理結果の例である。
【００４８】
何れかの基準シーンＳＮ［ｉ］について適合信号が送出された場合、ステップＳ１１に続くステップＳ１２において、通知部５５は、適合信号に応じて撮影指令通知を成す。この際、通知部５５は、管理情報３３０と適合信号に基づき、現在の撮影シーンが撮影未完了の基準シーンに適合している場合に限って撮影指令通知を成すようにする。これを実現すべく、現在の撮影シーンが何れの基準シーンと適合しているのかを指し示す情報を、シーン照合部５３からの適合信号に含めておくと良い。或いは、管理情報３３０を照合部５３に与え、撮影未完了の基準シーンに対してのみ、ステップＳ１１のシーン照合処理を行うようにしても良い。
【００４９】
ステップＳ１２に続くステップＳ１３において、撮影指令通知を認識したユーザは、所定の撮影指示操作を操作部１７に対して成す。撮影指示操作は、シャッタボタン１７ａ又は録画ボタン１７ｂの押下操作である。撮影指示操作に従って取得される、撮像装置１の撮影画像を特に実撮影画像とも呼ぶ（図５参照）。シャッタボタン１７ａの押下操作後、撮像装置１は、入力画像の画像信号に基づく１枚以上の静止画像を実撮影画像として取得する。撮影指示操作が録画ボタン１７ｂの押下操作である場合、撮像装置１は、録画ボタン１７ｂの１回目の押下操作時点から２回目の押下操作時点までに得られた複数の入力画像を複数のフレーム画像として持つ動画像を、実撮影画像として取得する。実撮影画像は記録媒体１６に記録される。この際、基準シーンＳＮ［１］〜ＳＮ［６］に対応する実撮影画像ＲＩ［１］〜ＲＩ［６］を互いに関連付けて記録媒体１６に記録することができる。
【００５０】
ステップＳ１３の後、ステップＳ１４における実撮影画像の登録処理及び確認表示を経て、管理部５４は、全基準シーン（ＳＮ［１］〜ＳＮ［６］）の撮影が完了したか否かを判断する（ステップＳ１５）。全基準シーン（ＳＮ［１］〜ＳＮ［６］）の撮影が完了していない場合には、ステップＳ１４からステップＳ１１に戻って、ステップＳ１１〜Ｓ１４の処理が再度実行される。ステップＳ１４の処理については後述する。
【００５１】
例えば、基準シーンＳＮ［ｉ］に対する撮影指令通知が成され、撮影指示操作に従って実撮影画像ＲＩ［ｉ］が取得された際、撮像装置１は、実撮影画像ＲＩ［ｉ］を表示部１５に表示させた状態でユーザからの所定の確認操作を操作部１７にて受け付ける。管理部５４は、確認操作が操作部１７に成された場合に、基準シーンＳＮ［ｉ］の撮影（換言すれば、実撮影画像ＲＩ［ｉ］の取得）が完了したと判断し、その判断内容に沿って図１０の管理情報３３０を更新することができる。或いは例えば、基準シーンＳＮ［ｉ］に対する撮影指令通知が成され、撮影指示操作に従って実撮影画像が取得された際、撮像装置１は、その実撮影画像とテンプレート画像ＴＭ［ｉ］との類似度合いを求め、その類似度合いが所定の基準度合い以上である場合に、管理部５４は、基準シーンＳＮ［ｉ］の撮影が完了したと判断しても良い。これと類似するが、例えば、基準シーンＳＮ［ｉ］に対する撮影指令通知が成され、撮影指示操作に従って実撮影画像が取得された際、撮像装置１は、その実撮影画像の特徴量を抽出して、抽出特徴量と、基準シーンＳＮ［ｉ］に含められるべき被写体の特徴量（該特徴量を基準シーン情報に予め設定しておくことができる）とを比較し、その比較結果に基づいて、管理部５４は、基準シーンＳＮ［ｉ］の撮影が完了したか否かを判断するようにしても良い。
【００５２】
上記のような処理により、例えば、対象シナリオの設定後、撮像部１１の撮影領域内に特定の建造物３０１が収まっている状況又は特定の建造物３０１を収めることができる状況において第１の撮影指示通知が成され、それを受けた撮影指示操作に従い、実撮影画像ＲＩ［１］が取得される（図４及び図５参照）。その後、ユーザが特定の料理店３０２に至れば、第２の撮影指示通知が成され、それを受けた撮影指示操作に従い、実撮影画像ＲＩ［２］が取得される。以後、同様にして実撮影画像ＲＩ［３］〜ＲＩ［６］を得ることができる。
【００５３】
上述の如く、シナリオ撮影モードでは、所望のシナリオに適したタイミングにて撮像装置１が撮影指令通知を発する。これにより、所望のシナリオに沿ったシーンの撮影機会逸失が防止される。ユーザは、撮影指令通知に従って撮影操作を成せば良く、これによって、撮影シナリオ「古都ＮＲのグルメドライブ」に沿ったストーリー仕立ての映像（物語性を有する映像）を集めることができる。シナリオ再生モードにおいて、例えば、複数の実撮影画像を一括表示又はスライドショー表示することにより、上記ストーリー仕立ての映像（物語性を有する映像）を視聴者に見せることができる。このように、本実施形態によれば、ユーザに特段の撮影知識及び編集知識がなくても、望ましい映像（例えば、視聴者にとって印象的な又は退屈させない映像）を容易に取得することが可能である。
【００５４】
以下、上述の構成及び動作を基本とする、撮像装置１の詳細な動作例若しくは構成例又はそれの関連技術を、複数の実施例の中で説明する。矛盾無き限り、以下に述べる複数の実施例の内、任意の２以上の実施例を組み合わせて実施することもできる。
【００５５】
［第１実施例］−対象シナリオの選択画面−
第１実施例を説明する。上述したように、ユーザは、登録された複数の撮影シナリオの中から対象シナリオを選択することができる。シナリオ選択操作を受け付ける際、表示制御部２１は登録された各撮影シナリオの内容を表示部１５に表示させることができ、ユーザは表示内容を見た上で対象シナリオを選択することができる。
【００５６】
例えば、登録された撮影シナリオの１つである撮影シナリオＳＲの内容の表示を、スクラップブック画像４００（図１１参照）の表示によって実現することができる。スクラップブック画像４００は、撮影シナリオＳＲの表題「古都ＮＲのグルメドライブ」の文言と、テンプレート画像ＴＭ［１］〜ＴＭ［６］とを内包する画像である。図１２の画像４１０は、スクラップブック画像の元になる穴空き画像である。穴空き画像４１０は、矩形画像であって、該矩形画像内には、撮影シナリオＳＲの表題が当てはめられるべき領域４２０と、６つの領域４２１〜４２６が設定される（但し、穴空き画像４１０の外形は矩形以外であっても良い）。穴空き画像４１０の領域４２０に撮影シナリオＳＲの表題「古都ＮＲのグルメドライブ」をはめ込み、且つ、穴空き画像４１０の領域４２１〜４２６に夫々テンプレート画像ＴＭ［１］〜ＴＭ［６］をはめ込むことで、スクラップブック画像４００が得られる。
【００５７】
ユーザは、スクラップブック画像４００の表示内容を確認した上で、撮影シナリオＳＲを対象シナリオとして選択指定することができる。スクラップブック画像４００が表示されている状態で所定操作を操作部１７に成せば、登録された他の撮影シナリオについてのスクラップブック画像が表示され、シナリオ選択操作により、登録された他の撮影シナリオを対象シナリオに選択指定することもできる。図１３の画像４４０は、登録された他の撮影シナリオについてのスクラップブック画像の例である（図１３において、登録された他の撮影シナリオに属するテンプレート画像ＴＭ［１］’〜 ＴＭ［６］’の内容図示を割愛）。このようなスクラップブック画像の表示を可能にしておくことにより、シナリオ撮影モードの撮影操作で得ることのできるシナリオの全体像を予めユーザに知らしめることができる。
【００５８】
尚、スクラップブック画像４００（又は４４０）に含まれるテンプレート画像の枚数は２以上であれば何枚でも良い（但し、該枚数を１にすることも可能）。撮影シナリオに属する基準シーンの個数が相当に多い場合には、スクロール表示等を利用してテンプレート画像の全体像を表示するようにしても良い。表示制御部２１は、任意の画像を表示する際、必要に応じて、画像の解像度変換（画像サイズの拡大又は縮小）を行うことができる。
【００５９】
［第２実施例］−撮影指令通知−
第２実施例を説明する。撮影指令通知は、基準シーンの画像撮影を促すための、ユーザの五感に訴える任意の通知である。例えば、撮影指令通知は、表示部１５又はスピーカ部１９等を用いた、映像又は音による通知であっても良いし、撮像装置１に設けられた発光デバイス（不図示）の点灯又は点滅によって撮影指令通知を成しても良い。映像による撮影指令通知が成される時の表示画面の例を図１４（ａ）に示す。尚、図１４（ａ）を含む、表示画面の内容例を示す図面において、斜線領域は表示部１５の筐体部分を表す。また、撮像装置１と撮像装置１以外の電子機器（不図示）との間で通信を可能にしておき、通知部５５が通信を利用して当該電子機器に指令を出すことにより当該電子機器上で実際の撮影指令通知がなされるようにしても良い。尚、撮像装置１がスリープ状態又はスタンバイ状態であるときには、上述した音による撮影指令通知、又は、発光デバイス若しくは撮像装置１以外の電子機器を用いた撮影指令通知が有益である。撮像装置１がスリープ状態又はスタンバイ状態であるとき、撮像装置１における画像信号の生成動作及び表示部１５の表示動作は停止しており、このときには、現在地情報及び基準シーン情報（図８参照）に基づくシーン照合処理を実行可能である。
【００６０】
撮影指令通知が成されるとき、表示制御部２１は、その時点の入力画像を表示部１５に表示するようにしても良いが、どのようなシーンをどのような構図で撮影すれば良いかをユーザに知らしめるべく、撮影指令通知が成されるとき、対応する基準シーンにマッチする画像を表示するようにしても良い。例えば、基準シーンＳＮ［１］に対応する適合信号が出力され、基準シーンＳＮ［１］の画像の撮影を促すための撮影指令通知が成される際、図１４（ｂ）に示す如く、映像表示によって撮影指令通知を行うと共にモデル画像を表示するようにしても良い。モデル画像は、テンプレート画像ＴＭ［１］でも良いし、テンプレート画像ＴＭ［１］の類似画像であっても良い。当該類似画像は、記録媒体１６に記録されていても良い。また、当該類似画像は、現在の撮影者以外の撮影者が過去に撮影した画像であっても良い。
【００６１】
［第３実施例］−構図変更通知−
第３実施例を説明する。基準シーンＳＮ［ｉ］について撮影指令通知を成すとき、撮像装置１は、基準シーンＳＮ［ｉ］に適した構図を判定し、必要に応じて構図の変更を促すようにしても良い。この判定を、通知部５５に設けられうる構図判定部５６にて成すことができる（図１５参照）。構図の判定には、基準シーン情報に含まれうる構図情報が必要となる（図８参照）。構図情報は、何れかの基準シーンに付随する情報であり、ここでは、基準シーンＳＮ［１］〜ＳＮ［６］の何れかでありうる特定の基準シーンＳＮ’に構図情報４６０が付随している場合を考える（図１５参照）。
【００６２】
構図情報４６０は、基準シーンＳＮ’の撮影時において採用されるべき撮影構図を規定している。基準シーンＳＮ’について撮影指令通知を成すとき、構図判定部５６は、その時点の入力画像の画像信号に基づき現在の撮影構図（撮像部１１による撮影の構図）を判定して、現在の撮影構図（以下、実撮影構図という）と構図情報４６０に規定されている撮影構図（以下、推奨撮影構図という）とを対比し、実撮影構図を推奨撮影構図に一致させることを促すための構図変更通知を行う。但し、当該一致が既に得られている場合、構図変更通知は不要である。撮影指令通知と同様、構図変更通知の形態は任意である。
【００６３】
例えば、基準シーンＳＮ’が人間の顔を被写体に含めたシーンであって、且つ、構図情報４６０が入力画像上における顔の大きさ、位置又は向きを規定しているとき、その規定内容に沿うように構図変更通知を成すとよい。より具体的には例えば、現在の実撮影構図における入力画像の顔の大きさが推奨撮影構図に規定された顔の大きさよりも小さい場合、通知部５５は、表示制御部２１と協働して、現在の入力画像と共に文言「顔にズームしてください」又は「顔にズームした上で写真を撮ってください」を表示させると良い（図１６（ａ）及び（ｂ）参照）。顔の位置又は向きについても同様である。この際、推奨撮影構図の規定大きさ又は規定位置等を表すガイドラインを表示しても良い。表示を音声出力に代えても良い。構図変更通知に対して上述した「顔」は、顔以外の任意の種類の物体（犬、猫、建造物など）であっても良い。
【００６４】
また例えば、対象シナリオの表題が「子供の初めての旅行」などである場合において、対象シナリオ内の基準シーンＳＮ’が特定物体を被写体に含むシーンであって且つ推奨撮影構図が特定物体を子供の目線から撮影すべきことを規定しているとき、その規定内容に沿うように構図変更通知を成すとよい。構図判定部５６は、現在の入力画像の画像信号に基づき実撮影構図における撮像部１１の視点高さを推定し、実撮影構図の視点高さを推奨撮影構図に規定された視点高さに一致させるための構図変更通知を、映像表示又は音声出力等によって成すことができる。このような構図変更通知を成すことによって、対象シナリオにマッチした実撮影画像を取得することが可能となる。
【００６５】
［第４実施例］−複数の対象シナリオの設定時−
第４実施例を説明する。対象シナリオ設定部５２は、複数の撮影シナリオを複数の対象シナリオとして設定できても良い。この場合、照合部５３、管理部５４及び通知部５５は、各対象シナリオに対して上述及び後述の動作を成すことができる。例えば、シナリオ選択操作において複数の撮影シナリオが属するカテゴリを一括して選択することで（図７参照）、当該カテゴリに属する全撮影シナリオが対象シナリオに設定されても良い。
【００６６】
複数の対象シナリオが設定されている場合において、撮影指令通知を成す際、図１７に示す如く、何れの対象シナリオ用に撮影を行うのかをユーザに通知するようにしても良い。通知の方法は任意であるが、図１７の例では、スクラップブック画像（例えば、図１１又は図１３のスクラップブック画像４００又は４４０）の表示によって、何れの対象シナリオ用に撮影を行うのかをユーザに通知している。複数の対象シナリオが設定されている場合、複数の対象シナリオ間で優先順位を定めておいても良く、撮影指令通知の内容及び方法を、優先順位の異なる対象シナリオ間で互いに異ならせても良い。
【００６７】
［第５実施例］−記録残容量に対する配慮−
第５実施例を説明する。対象シナリオに沿って取得された実撮影画像は記録媒体１６に記録される。主制御部１３は、対象シナリオに沿って取得されるべき実撮影画像を記録媒体１６に記録するために必要な記録容量が、記録媒体１６の残容量（記録媒体１６に追加的に記録することのできるデータの容量）よりも大きい場合、前者が後者以下となるように、残容量対策を成すことができる。
【００６８】
第１の残容量対策として、例えば、記録媒体１６に実際に記録される実撮影画像の解像度（画素数）を基準解像度から減らすことができる。上記の“必要な記録容量”とは、基準解像度で実撮影画像を記録媒体１６に記録することを想定した場合に必要な記録容量である。
【００６９】
第２の残容量対策として、対象シナリオに含まれる撮影が未完了の基準シーンの内、幾つかの基準シーンを、対象シナリオから削除しても良い。対象シナリオに属する複数の基準シーンの間で優先順位を予め定めておき、優先順位の低い方の基準シーンから当該削除を成すと良い。また、第４実施例で述べたように複数の対象シナリオが設定されていて且つ複数の対象シナリオ間で優先順位が定められている場合においては、優先順位が相対的に低い対象シナリオの基準シーンに対して、照合部５３によるシーン照合処理を行わない又は通知部５５による撮影指令通知を行わないようにしても良い。
【００７０】
［第６実施例］−実撮影画像の登録処理及び確認表示−
第６実施例を説明する。第６実施例では、図９のステップＳ１４にて実行可能な実撮影画像の登録処理及び確認表示を説明する。
【００７１】
基準シーンＳＮ［ｉ］の撮影が完了したと判断した場合、ステップＳ１４において、管理部５４は、その判断内容に沿って図１０の管理情報３３０を更新することで、基準シーンＳＮ［ｉ］の撮影画像である実撮影画像ＲＩ［ｉ］を対象シナリオＳＲに登録する。この際、ステップＳ１４の確認表示として、実撮影画像ＲＩ［ｉ］を単に表示部１５に表示するようにしても良いが、対象シナリオＳＲのどこに実撮影画像ＲＩ［ｉ］が反映されるのかをユーザに示すようにしても良い。
【００７２】
例として、基準シーンＳＮ［１］〜ＳＮ［６］の撮影が完了していない状態を起点として、実撮影画像ＲＩ［５］が取得されたとき、図１８に示す如く、スクラップブック画像４００ａを表示するようにしても良い。スクラップブック画像４００ａは、撮影シナリオＳＲの表題「古都ＮＲのグルメドライブ」の文言と、テンプレート画像ＴＭ［１］〜ＴＭ［４］及びＴＭ［６］と、実撮影画像ＲＩ［５］とを内包する画像である。図１１のスクラップブック画像４００のテンプレート画像ＴＭ［５］を実撮影画像ＲＩ［５］に置換することでスクラップブック画像４００ａが得られる。
【００７３】
スクラップブック画像４００に対して実撮影画像ＲＩ［５］の画像信号を実際に埋め込むことで当該置換を実現しても良い。或いは、実撮影画像ＲＩ［５］は記録媒体１６に記録されるため、記録媒体１６上の実撮影画像ＲＩ［５］をスクラップブック画像４００にリンクさせ、当該リンクを利用して実撮影画像ＲＩ［５］の画像信号をスクラップブック画像４００に適用することで当該置換を実現しても良い。上述したように、任意の画像を表示する際、必要に応じて、画像の解像度変換（画像サイズの拡大又は縮小）を行うようにしても良い。従って、スクラップブック画像４００ａにおける実撮影画像ＲＩ［５］は、実撮影画像ＲＩ［５］の縮小画像（例えば、実撮影画像ＲＩ［５］のサムネイル画像）であっても良い。
【００７４】
任意の実撮影画像は静止画像又は動画像であり、実撮影画像ＲＩ［５］が動画像である場合、スクラップブック画像４００ａにおける実撮影画像ＲＩ［５］は動画像として表示されてもよい（或いは、実撮影画像ＲＩ［５］としての動画像の所定フレームが静止画像として表示されても良い）。実撮影画像ＲＩ［５］の取得後、図１９に示す如く、まずスクラップブック画像４００を表示させ、所定時間をかけて表示画像をスクラップブック画像４００からスクラップブック画像４００ａへ徐々に変化させるようにしても良い。
【００７５】
上述の如く、基準シーンＳＮ［ｉ］が撮影されることによって実撮影画像ＲＩ［ｉ］が得られたとき、表示部１５上において、基準シーンＳＮ［ｉ］に対応するテンプレート画像ＴＭ［ｉ］を実撮影画像ＲＩ［ｉ］に置き換える。特に、図１８に示すような表示を成すことで、ユーザは、実撮影画像が対象シナリオのどの部分に反映されるのかを確認することができると共に対象シナリオの実撮影結果が集まってゆく様子をリアルタイムで確認することができ、撮影操作を行う楽しみが向上する。
【００７６】
任意のスクラップブック画像は複数の要素画像を配列することで形成され、各要素画像はテンプレート画像又は実撮影画像である。例えば、スクラップブック画像４００は、テンプレート画像ＴＭ［１］〜ＴＭ［６］を６枚の要素画像として含んだスクラップブック画像である。１以上の実撮影画像が取得された後に表示されるスクラップブック画像（例えば画像４００ａ）は、１以上の実撮影画像を上記複数の要素画像に含めたスクラップブック画像である。１つのスクラップブック画像に配列される要素画像の個数は２以上であれば幾つでも良い。
【００７７】
但し、任意のスクラップブック画像に含まれる要素画像の個数を１にすることも可能である。例えば、撮影シナリオ記憶部５１又は対象シナリオ設定部５２において、基準シーンＳＮ［１］〜ＳＮ［６］の内、何れか１つの基準シーンを代表シーンとして定めておく。ここでは、基準シーンＳＮ［５］が代表シーンであるものとする。基準シーンＳＮ［５］を代表シーンとして含んだ撮影シナリオＳＲが対象シナリオとして設定されたとき、表示制御部２１にて、代表シーンに対応する１枚のテンプレート画像ＴＭ［５］のみを含んだスクラップブック画像４７０を生成し、テンプレート画像４７０を表示部１５に表示させても良い（図２０（ａ）参照）。この後、図９のステップＳ１１〜Ｓ１３の処理を経て、実撮影画像ＲＩ［５］が取得されたとき、スクラップブック画像４７０におけるテンプレート画像ＴＭ［５］を実撮影画像ＲＩ［５］に置換することで、図２０（ｂ）に示すようなスクラップブック画像４７０ａを生成し且つ表示するようにしても良い（置換の方法は上述したものと同様）。図１９に示したものと同様、実撮影画像ＲＩ［５］の取得後、まずスクラップブック画像４７０を表示させ、所定時間をかけて表示画像をスクラップブック画像４７０からスクラップブック画像４７０ａへ徐々に変化させるようにしても良い。代表シーンを撮影シナリオＳＲの表紙等として機能させることができ、図２０（ｂ）に示すような表示を成すことで、ユーザは、表紙等として機能しうる代表シーンの実撮影結果が得られたことを認識することができる。
【００７８】
尚、テンプレート画像ＴＭ［５］と置換することが可能な実撮影画像が複数存在する場合、即ち、基準シーンＳＮ［５］の実撮影画像が複数存在していると判断される場合、基準シーンＳＮ［５］の実撮影画像が複数存在していることをユーザに認識させるための表示を行っても良い。例えば、基準シーンＳＮ［５］の実撮影画像として実撮影画像４８１〜４８４が取得された場合、図２１（ａ）に示す如く、画像４８１〜４８４を部分的に重なり合わせながら同時表示しても良いし、図２１（ｂ）に示す如く、画像４８１〜４８４を互いに分離して同時表示するようにしても良い。これらの表示を行っている状態で、ユーザが操作部１７に成した置換対象選択操作に応答して、撮像装置１は、テンプレート画像ＴＭ［５］に置換されるべき実撮影画像を画像４８１〜４８４の中から選択決定するようにしてもよい。
【００７９】
［第７実施例］−テンプレート画像と実撮影画像との表示区別−
第７実施例を説明する。ステップＳ１４の確認表示において、表示された画像が未撮影のものであるのか否かをユーザが識別できるように、表示制御部２１は、未撮影画像（即ち、テンプレート画像）と実撮影画像との間で表示方法を互いに異ならせても良い。これにより、ユーザは上記識別を容易に行えるようになる。
【００８０】
例えば、図２２（ａ）〜（ｃ）に示す如く、実撮影画像ＲＩ［ｉ］を表示する際には所定枠５１０又は所定アイコン５１２を実撮影画像ＲＩ［ｉ］に付与して表示する一方で、未撮影画像としてのテンプレート画像ＴＭ［ｉ］を表示する際には所定枠５１０及び所定アイコン５１２をテンプレート画像ＴＭ［ｉ］に付与しないようにしても良く（図２２（ａ）〜（ｃ）において、ｉ＝５）、その付与の有無は逆であっても良い。また例えば、未撮影画像としてのテンプレート画像ＴＭ［ｉ］を表示する際には、表示制御部２１等においてテンプレート画像ＴＭ［ｉ］に対し所定の画像処理（例えば、階調又は彩度を低減させる処理、画像信号を二値化する処理）を適用し、画像処理後のテンプレート画像ＴＭ［ｉ］を表示するようにしてもよい。
【００８１】
未撮影画像及び実撮影画像間での表示方法の変更は、スクラップブック画像を表示する際に特に好適である。例えば、第６実施例で述べたスクラップブック画像４００ａを表示する際、図２３に示す如く、未撮影画像（即ち、テンプレート画像ＴＭ［１］〜ＴＭ［４］及びＴＭ［６］）と実撮影画像ＲＩ［５］との間で表示方法を互いに異ならせると良い。図２３の例では、スクラップブック画像４００ａにおいて、実撮影画像ＲＩ［５］にのみ所定枠５１０が付与されている。
【００８２】
［第８実施例］−シナリオ再生モードにおける動作−
第８実施例を説明する。第８実施例では、シナリオ再生モードにおける撮像装置１の動作を説明する。事前にシナリオ撮影モードにおいて、対象シナリオＳＲの幾つかの基準シーンに対して撮影が成され、対象シナリオＳＲに属する幾つかの実撮影画像が記録媒体１６に記録されているものとする。シナリオ再生モードにおいて、主制御部１３に設けられたシナリオ再生制御部６１（図２４参照）には、記録媒体１６の記録内容が伝達され、更に必要に応じてテンプレート画像が与えられる（テンプレート画像は記録媒体１６に記録されていても良い）。シナリオ再生制御部６１は、図１の表示制御部２１に含まれると考えても良い。
【００８３】
シナリオ再生モードにおいて、ユーザが対象シナリオＳＲの再生を指示すると、対象シナリオＳＲに属する実撮影画像が少なくとも再生される。シナリオ再生モードにおける再生とは、任意の再生媒体上への再生（任意の再生媒体への画像出力を含む）であり、再生媒体は、表示部１５、表示部１５と異なり且つ撮像装置１に接続された外部表示装置（テレビ受信機など）、又は、紙であり、更に、画像を表現可能な任意の媒体（樹脂板など）を含みうる。第８実施例で述べる表示とは、特に記述なき限り、表示部１５又は外部表示装置における表示を指す。再生媒体が紙である場合、シナリオ再生制御部６１は、紙に印刷されるべき画像の画像信号を、撮像装置１に接続された印刷機（不図示）に送出し、これによって当該画像の紙上への再生を実現する。
【００８４】
シナリオ再生モードには、対象シナリオＳＲに属する実撮影画像のみを再生するモードＭＯＤＡの他に、テンプレート画像をも再生するモードＭＯＤＢがある。モードＭＯＤＢでは、対象シナリオＳＲに属する複数の基準シーンＳＮ［１］〜ＳＮ［６］の内、未撮影のシーンがある場合には、未撮影のシーンに対応するテンプレート画像をも再生する。ユーザは、操作部１７に対する所定操作によってモードＭＯＤＡ又はＭＯＤＢを選択可能である。
【００８５】
今、対象シナリオＳＲの実撮影画像として、実撮影画像ＲＩ［１］、ＲＩ［２］、ＲＩ［３］及びＲＩ［５］のみが取得されて記録媒体１６に記録されていることを想定する。シナリオ再生制御部６１は、この想定下において、モードＭＯＤＡによる再生を成す場合、図２５（ａ）に示すスクラップブック画像５５１を生成して再生することができ、モードＭＯＤＢによる再生を成す場合、図２５（ｂ）に示すスクラップブック画像５５２を生成して再生することができる。
【００８６】
スクラップブック画像５５１は、要素画像としての４枚の画像ＲＩ［１］、ＲＩ［２］、ＲＩ［３］及びＲＩ［５］を配列して構成された画像であるのに対し、スクラップブック画像５５２は、要素画像としての６枚の画像ＲＩ［１］、ＲＩ［２］、ＲＩ［３］、ＴＭ［４］、ＲＩ［５］及びＴＭ［６］を配列して構成された画像である。尚、上述の想定とは異なるが、仮に実撮影画像ＲＩ［１］〜ＲＩ［６］が全て取得されている場合には、モードＭＯＤＡ及びＭＯＤＢの何れにおいても、画像ＲＩ［１］〜ＲＩ［６］を配列して構成されたスクラップブック画像５５３が再生される（図２５（ｃ）参照）。シナリオ再生制御部６１は、図２６（ａ）に示す如く、再生されるべき要素画像のサイズ（解像度）を再生媒体の大きさに応じて拡大又は縮小するようにしても良いし、図２６（ｂ）に示す如く、任意の要素画像を再生媒体上で傾けても再生しても良い。また、第７実施例で述べた方法をモードＭＯＤＢの再生に適用し、未撮影画像及び実撮影画像間で再生方法を変更するようにしても良い。
【００８７】
シナリオ再生モードにおいて、ユーザは、表示された何れかのテンプレート画像ＴＭ［ｉ］又は実撮影画像ＲＩ［ｉ］を指定する操作（以下、特殊再生操作と呼ぶ）を操作部１７に対して成すことができる。特殊再生操作を、スクラップブック画像の再生時に行うことができる。特殊再生操作が成された際、制御部６１は、指定されたテンプレート画像ＴＭ［ｉ］又は実撮影画像ＲＩ［ｉ］を拡大表示（又は縮小表示）するようにしても良い。
【００８８】
また例えば、テンプレート画像ＴＭ［ｉ］又は実撮影画像ＲＩ［ｉ］を指定する特殊再生操作が成された際、制御部６１は、テンプレート画像ＴＭ［ｉ］に関連付けられた関連情報の再生を行うようにしても良い。例えば、関連情報は撮影シナリオ記憶部５１に予め記憶され、必要な時に関連情報が制御部６１に伝達される。図２７に、スクラップブック画像５５２の再生時において、実撮影画像ＲＩ［５］が特殊再生操作により指定されたときの再生内容例を示す。図２７の例では、テンプレート画像ＴＭ［５］の関連情報５７０がスクラップブック画像５５２上に重畳されているが、関連情報５７０をスクラップブック画像５５２に隣接させて再生してもよい。関連情報の再生によって、再生結果を、旅行ガイドブック等としても利用することが可能となる。
【００８９】
また例えば、実撮影画像ＲＩ［ｉ］が動画像である場合において、実撮影画像ＲＩ［ｉ］を指定する特殊再生操作が成された際、制御部６１は、表示部１５又は外部表示装置上で実撮影画像ＲＩ［ｉ］を動画像として再生するようにしても良い。図２８に、スクラップブック画像５５２の再生時において、実撮影画像ＲＩ［５］が特殊再生操作により指定されたときの再生内容例を示す。図２８の図示内容からは明確ではないが、図２８の例では、実撮影画像ＲＩ［５］が動画像として再生表示されている。
【００９０】
また例えば、基準シーンＳＮ［ｉ］の撮影時（即ち、実撮影画像ＲＩ［ｉ］の取得時）に音声情報が実撮影画像ＲＩ［ｉ］と共に記録媒体１６に記録されている場合において、実撮影画像ＲＩ［ｉ］を指定する特殊再生操作が成された際、制御部６１は、当該音声情報の再生を行うようにしても良い。当該音声情報は、基準シーンＳＮ［ｉ］の撮影時におけるマイク部１８の出力音響信号そのもの、又は、その出力音響信号に所定の音響信号処理を施して得た音響信号を含む。当該音声情報は、基準シーンＳＮ［ｉ］の撮影前後において撮影者がマイク部１８に対して吹き込んだ音声（音声メモ）であっても良い。実撮影画像ＲＩ［ｉ］が動画像である場合には、実撮影画像ＲＩ［ｉ］の撮影区間におけるマイク部１８の出力音響信号から当該音声情報を得ても良い。制御部６１は、音声情報に含まれる音響信号から人間の発声による言葉をテキストデータとして抽出し、テキストデータの再生を音声情報の再生として行うことができる。図２９（ａ）及び図３０（ａ）に、スクラップブック画像５５２の再生時において、実撮影画像ＲＩ［３］が特殊再生操作により指定されたときの再生内容例を示す（画像ＲＩ［３］に対応する音声情報が記録媒体１６に記録されていることを想定）。図２９（ａ）の例では、画像ＲＩ［３］の音声情報がテキストデータ５８０としてスクラップブック画像５５２上に重畳再生されている。図２９（ｂ）は、テキストデータ５８０の拡大図である。図３０（ａ）の例では、画像ＲＩ［３］の音声情報から抽出されたテキストデータが、スクラップブック画像５５２における画像ＲＩ［３］上に重畳再生されている（テキストデータは音響信号の時系列に沿って順次表示されても良い）。図３０（ｂ）は、図３０（ａ）の画像ＲＩ［３］部分の拡大図である。
【００９１】
上述の如く、基準シーンＳＮ［１］〜ＳＮ［６］の全部又は一部の撮影完了後、シナリオ再生モードにおいて、シナリオ再生制御部６１は、１以上の実撮影画像を含む複数の画像をスクラップブック画像にまとめて再生媒体上に再生することができる。スクラップブック画像は、ストーリー仕立ての映像（物語性を有する映像）を集約したものである。従って、ユーザに特段の編集知識がなくても、望ましい再生結果（例えば、視聴者にとって印象的な又は退屈させない映像）を視聴者に提供することが可能となる。
【００９２】
尚、再生されるスクラップブック画像に、上述したもの以外の任意の付加情報が含まれていても良い。付加情報は、任意のアイコン、実撮影画像の撮影日時などである。付加情報は、所謂ポップアップとして再生されても良い。実撮影画像の撮影日時は、実撮影画像ごとに再生されても良い。実撮影画像の撮影日時を実撮影画像と共に再生するのか否かを、シナリオ再生モード又は後述のシナリオ編集モードにおいて、ユーザが選択指定できても良い。１つの対象シナリオに属する要素画像の枚数が規定数以上である場合には、１つの対象シナリオに属する要素画像を複数のスクラップブック画像に分けて再生するようにしても良い。
【００９３】
また、上述の例では、スクラップブック画像の再生によって複数の要素画像を同時に再生するようにしているが、所謂スライドショー形式で複数の要素画像を再生するようにしても良い。即ち例えば、対象シナリオに属する複数の要素画像を、１枚ずつ又は２枚以上ずつ時分割で順次再生（表示）するようにしても良い。
【００９４】
また、シナリオ再生制御部６１は、任意のスクラップブック画像を任意の規格に従ったイメージファイル（例えば、ＪＰＥＧ（Joint Photographic Experts Group）に従ったイメージファイル又はビットマップファイル）に変換することができ、得られたイメージファイルを、記録媒体１６に記録することができる又は当該イメージファイルを再生可能な機器（印刷機を含む）に出力することができる。これにより、撮像装置１以外の機器上でスクラップブック画像を再生（印刷を含む）することが可能となる。変換されるべきスクラップブック画像内の実撮影画像がサムネイル画像である場合には、そのサムネイル画像を真の実撮影画像に置き換えてから当該変換を成すと良い。また、第６実施例で述べた「リンク」を利用してスクラップブック画像が形成されている場合には、「リンク」を第６実施例で述べた「埋め込み」に変更してから当該変換を成すと良い。上記変換を成す際、上記イメージファイルには含まれない非出力データが存在していてもよく、ユーザは、非出力データに任意の情報を含めて記録媒体１６に記録させておくことができる。非出力データには、例えば、ユーザが公開を望まない写真データ、ユーザが古都ＮＲに行くときに利用した電車時刻表、ユーザが次回古都ＮＲに行くときに参照しようとしている便宜上のコメント、ユーザのみが必要とする情報が含まれうる。
【００９５】
［第９実施例］−シナリオ編集モードにおける動作−
第９実施例を説明する。第９実施例では、シナリオ編集モードにおける撮像装置１の動作を説明する。シナリオ編集モードでは、主制御部１３に設けられたシナリオ編集部６３（図３１参照）が、対象シナリオに含まれるべき基準シーンを、ユーザの選択指定操作に従って設定する。選択指定操作は、操作部１７に対して成され、削除操作と追加操作を含む。対象シナリオに含まれている或る基準シーンに対して削除操作が成された場合、シナリオ編集部６３は、その基準シーンを対象シナリオから削除すると共に、その基準シーンに対応する実撮影画像又はテンプレート画像も対象シナリオから削除する。対象シナリオに含まれていなかった或る基準シーンに対して追加操作が成された場合、シナリオ編集部６３は、その基準シーンを対象シナリオに追加すると共に、その基準シーンに対応する実撮影画像又はテンプレート画像も対象シナリオに追加する。このように、基準シーンの削除及び追加は、実撮影画像又はテンプレート画像の削除及び追加と等価である。
【００９６】
選択指定操作の入力受け付け時の表示内容は任意であるが、ここでは、対象シナリオＳＲのスクラップブック画像を表示した状態で選択指定操作の入力受け付けを行う方法を説明する。
【００９７】
対象シナリオＳＲの幾つかの基準シーンに対して撮影が成され、対象シナリオＳＲに属する幾つかの実撮影画像が記録媒体１６に記録されている状態において、シナリオ編集モードを起動させることができる。この場合におけるシナリオ編集モードは、シナリオ再生モードの一種であっても良い。今、対象シナリオＳＲの実撮影画像として、実撮影画像ＲＩ［１］、ＲＩ［２］、ＲＩ［３］及びＲＩ［５］のみが取得されて対象シナリオＳＲに含められているとする。この想定下において、シナリオ編集部６３の制御の下、図３２（ａ）のスクラップブック画像５５１が表示され、例えばユーザが画像ＲＩ［３］を対象として削除操作を成すと、画像ＲＩ［３］が対象シナリオＳＲから削除されて図３２（ｂ）のスクラップブック画像５５１ａが表示されるようになる。この後、ユーザが画像ＲＩ［３］を対象シナリオＳＲに追加させる追加操作を成すと、画像ＲＩ［３］が対象シナリオＳＲに追加されて表示内容は図３２（ａ）のそれに戻る。追加対象及び削除対象はテンプレート画像であっても良い。例えば、図２５（ｂ）のスクラップブック画像５５２が表示されている状態において、即ち、対象シナリオＳＲに画像ＲＩ［１］、ＲＩ［２］、ＲＩ［３］、ＴＭ［４］、ＲＩ［５］及びＴＭ［６］が含まれている状態において、例えばユーザが画像ＴＭ［４］及びＴＭ［６］を対象として削除操作を成すと、画像ＴＭ［４］及びＴＭ［６］が対象シナリオＳＲから削除されて図２５（ａ）のスクラップブック画像５５１が表示されるようになる。この後、ユーザが画像ＴＭ［４］及びＴＭ［６］を対象シナリオＳＲに追加させる追加操作を成すと、画像ＴＭ［４］及びＴＭ［６］が対象シナリオＳＲに追加されて表示内容は図２５（ｂ）のそれに戻る。
【００９８】
また、シナリオ編集部６３は、スクラップブック画像上における要素画像（実撮影画像又はテンプレート画像）の順序（換言すれば配置位置）を、ユーザが操作部１７に入力した順序変更操作に従って変更することもできる。例えば、図２５（ｂ）と同じ、図３３（ａ）のスクラップブック画像５５２の表示時において、画像ＴＭ［４］と画像ＲＩ［５］の順序（配置位置）を入れ替える順序変更操作が成された際、その入れ替えが成されたスクラップブック画像５５２ａ（図３３（ｂ）参照）が表示されると共に、対象シナリオＳＲは、その入れ替え後のものに更新される（画像５５２と画像５５２ａでは、再生時における見栄えが異なる）。
【００９９】
上述したような選択指定操作及び順序変更操作を可能にしておくことにより、ユーザの嗜好を加味したシナリオを作成することが可能となる。シナリオ再生制御部６１は、選択指定操作又は順序変更操作に従って更新された対象シナリオのスクラップブック画像を、第８実施例の如く再生することができる。
【０１００】
また、対象シナリオＳＲの各基準シーンに対して何ら実際の撮影がなされていない状態において、シナリオ編集モードを起動させることもできる。この場合、まず、図１１のスクラップブック画像４００が表示される。この状態で、ユーザが任意のテンプレート画像を指定して削除操作又は追加操作を成すことにより、指定されたテンプレート画像に対応する基準シーンが対象シナリオＳＲから削除又は対象シナリオＳＲに追加される。仮に、削除操作によって対象シナリオＳＲからテンプレート画像ＴＭ［６］が削除（即ち基準シーンＳＮ［６］が削除）された場合、シナリオ撮影モードにおいて、図６のシーン照合部５３は、基準シーンＳＮ［６］に対して上述のシーン照合処理を行わず、結果、基準シーンＳＮ［６］に対する撮影指令通知は成されえない。但し、この場合においても、基準シーンＳＮ［６］に対してシーン照合処理を行うようにしても良く、通知部５５は、基準シーンＳＮ［６］についての適合信号が入力され且つ基準シーンＳＮ［６］の撮影が未完了であるときには、撮影指令通知と異なる勧告通知（例えば、基準シーンＳＮ［６］の撮影が必要でないかを問い合わせるような通知）をユーザに提示しても良い。
【０１０１】
また、対象シナリオＳＲの各基準シーンに対して何ら実際の撮影がなされていない状態においても、上述の順序変更操作は有効である。順序変更操作の結果は、シナリオ再生モードにおけるスクラップブック画像の再生レイアウトに反映される。それだけでなく、順序変更操作の結果はシーン照合処理に影響するものであってもよい。
この場合、前提として、例えば対象シナリオＳＲに含まれる複数の基準シーンに序列を与えておく。そして、シナリオ撮影モードの動作開始後、シーン照合処理を、まず第１順位の基準シーンのみを対象にして実行し、第１順位の基準シーンの撮影が完了した後に、シーン照合処理を第２順位の基準シーンのみを対象にして実行するようにしておく。同様に、第２順位の基準シーンの撮影が完了した後には、シーン照合処理を第３順位の基準シーンのみを対象にして実行するとよい（それ以降の順位の基準シーンについても同様）。シーン照合処理の対象となる基準シーンを限定することで、シーン照合処理の精度向上が期待される。
このような序列に従ったシーン照合処理を行うという前提において、上述の順序変更操作が成された際、順序変更操作に従って、各基準シーンに割り当てられる順位が変更される。複数の基準シーンに対応する複数の場所を如何なる順序で廻っていくのかを撮影者が予め決めている場合、その決定内容に従って撮影者は順序変更操作を成すことができる。例えば、石碑３０５のある寺に行ってから鹿３０４を見に行くことを予め決めている場合（図４参照）、基準シーンＳＮ［５］の順位が基準シーンＳＮ［４］の順位よりも高くなるように順序変更操作を成すことができる。
【０１０２】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜４を記す。各注釈に記載した内容は、矛盾なき限り、任意に組み合わせることが可能である。
【０１０３】
［注釈１］
上述の実施形態では、主として、実撮影画像ＲＩ［ｉ］が１枚の静止画像又は１つの動画像として取得されることを以って基準シーンＳＮ［ｉ］の撮影が完了したと考えているが、図６の撮影完了状況管理部５４は、基準シーンＳＮ［ｉ］が複数回撮影されてはじめて、基準シーンＳＮ［ｉ］の撮影が完了したと判断するようにしても良い。基準シーンＳＮ［ｉ］を何回撮影すれば基準シーンＳＮ［ｉ］の撮影が完了するのかを、予め対象シナリオ設定部５２が設定しておいてもよい。
【０１０４】
［注釈２］
上述のシナリオ再生モード又はシナリオ編集モードにおける動作を、撮像装置１以外の電子機器上で行うようにしても良い（撮像装置１も電子機器の一種である）。当該電子機器上には、撮像装置１に設けられた部位の全て、又は、撮像装置１に設けられた部位の内、シナリオ再生モード又はシナリオ編集モードの動作実現に必要な部位が備えられる。
【０１０５】
［注釈３］
撮像装置１は、任意の機器（携帯電話機などの携帯端末）に搭載されるものであっても良い。
【０１０６】
［注釈４］
図１の撮像装置１を、ハードウェア、或いは、ハードウェアとソフトウェアの組み合わせによって構成することができる。ソフトウェアを用いて撮像装置１を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい。
【符号の説明】
【０１０７】
１  撮像装置
１１  撮像部
１５  表示部
５１  撮影シナリオ記憶部
５２  対象シナリオ設定部
５３  シーン照合部
５４  撮影完了状況管理部
５５  通知部
５６  構図判定部
６１  シナリオ再生制御部
６３  シナリオ編集部
ＴＭ［ｉ］  テンプレート画像
ＲＩ［ｉ］  実撮影画像
【図１】
2013090267.tif 000003
【図２】
2013090267.tif 000004
【図３】
2013090267.tif 000005
【図６】
2013090267.tif 000006
【図７】
2013090267.tif 000007
【図８】
2013090267.tif 000008
【図９】
2013090267.tif 000009
【図１０】
2013090267.tif 000010
【図１１】
2013090267.tif 000011
【図１２】
2013090267.tif 000012
【図１３】
2013090267.tif 000013
【図１５】
2013090267.tif 000014
【図１６】
2013090267.tif 000015
【図２０】
2013090267.tif 000016
【図２１】
2013090267.tif 000017
【図２２】
2013090267.tif 000018
【図２４】
2013090267.tif 000019
【図３１】
2013090267.tif 000020
【図４】
2013090267.tif 000021
【図５】
2013090267.tif 000022
【図１４】
2013090267.tif 000023
【図１７】
2013090267.tif 000024
【図１８】
2013090267.tif 000025
【図１９】
2013090267.tif 000026
【図２３】
2013090267.tif 000027
【図２５】
2013090267.tif 000028
【図２６】
2013090267.tif 000029
【図２７】
2013090267.tif 000030
【図２８】
2013090267.tif 000031
【図２９】
2013090267.tif 000032
【図３０】
2013090267.tif 000033
【図３２】
2013090267.tif 000034
【図３３】
2013090267.tif 000035